(57)【要約】【課題】人体を検知する機能を省スペースで実現し、且つ精度よく人体の近接検知を行うことができる無線通信モジュールを提供すること。【解決手段】無線通信モジュール（１００）は、アンテナ部（１）と、人体が近接したことを検出する人体近接検出部（２）と、を備える。アンテナ部（１）は、アンテナ（１１）と、分布定数により構成される第１のフィルタ（１２）と、を備える。人体近接検出部（２）は、アンテナ（１１）及び第１のフィルタ（１２）を静電容量検出電極として用いる。【選択図】図１
2018198352.tif 000002
【特許請求の範囲】
【請求項１】
アンテナ部と、
人体が近接したことを検出する人体近接検出部と、を備え、
前記アンテナ部は、
アンテナと、
分布定数により構成される第１のフィルタと、を備え、
前記人体近接検出部は、前記アンテナ及び前記第１のフィルタを静電容量検出電極として用いる、
無線通信モジュール。
【請求項２】
無線制御部をさらに備え、
前記無線制御部は、
演算処理部と、
前記演算処理部からの制御により前記アンテナを介した無線通信を行う送受信部と、
休止制御部と、を備え、
前記休止制御部は、前記人体近接検出部による検出結果に基づいて、前記演算処理部及び前記送受信部の少なくとも一方の起動状態を制御する、
請求項１に記載の無線通信モジュール。
【請求項３】
第１周波数の第１クロック信号を発振する第１の発振器と、
前記第１周波数より高い周波数である第２周波数の第２クロック信号を発振する第２の発振器と、をさらに備え、
前記演算処理部及び前記送受信部は、前記第２クロック信号で動作し、
前記休止制御部は、前記第１クロック信号で動作する、
請求項２に記載の無線通信モジュール。
【請求項４】
前記人体近接検出部は、前記第１クロック信号を用いて前記アンテナ及び前記第１のフィルタにおける静電容量の変化を検出する、請求項３に記載の無線通信モジュール。
【請求項５】
前記休止制御部は、前記人体近接検出部による検出結果に基づいて、前記送受信部、前記演算処理部、及び前記第２の発振器を起動させ、前記送受信部による無線通信完了後に前記送受信部、前記演算処理部、及び前記第２の発振器を停止させる、請求項３に記載の無線通信モジュール。
【請求項６】
前記第１のフィルタは、前記第１周波数を通過させ、前記アンテナにより送受信される無線信号の周波数を減衰させる、請求項３に記載の無線通信モジュール。
【請求項７】
前記アンテナにより送受信される無線信号の周波数を通過させ、前記第１周波数を減衰させる第２のフィルタをさらに備える、請求項３に記載の無線通信モジュール。
【請求項８】
前記アンテナは線状アンテナである、請求項１に記載の無線通信モジュール。
【請求項９】
整合調整部をさらに備え、
前記整合調整部は、前記人体近接検出部による検出結果に基づいて、前記アンテナの整合調整を行う、
請求項１に記載の無線通信モジュール。
【請求項１０】
無線通信機器に実装される無線通信モジュールであって、
前記無線通信モジュールは、
分布定数により構成される第１のフィルタと、
人体が近接したことを検出する人体近接検出部と、を備え、
前記人体近接検出部は、前記第１のフィルタ及び前記無線通信機器のアンテナを静電容量検出電極として用いる、
無線通信モジュール。
【請求項１１】
請求項１０に記載の無線通信モジュールと、アンテナと、を備えた無線通信機器。
【請求項１２】
前記無線通信機器はウェアラブル機器である、請求項１１に記載の無線通信機器。
【発明の詳細な説明】
【技術分野】
【０００１】
本発明は、無線通信モジュール及び無線通信機器に関し、例えば人体が近接したことを検出する機能を備えた無線通信モジュール及び無線通信機器に関する。
【背景技術】
【０００２】
近年、無線機能を備えたウェアラブル機器や携帯機器等が普及している。これらの機器において、人体（誘電体）を検知した場合に動作状態等を変化させる機能を備えることが望まれている。
【０００３】
特許文献１には、人感センサが人体を検知していない期間では、高速発振回路は発振動作を停止し、人感センサ部が人体を検知すると、高速発振回路が発振動作を開始し、無線送信部が高速発振回路の発振信号に同期してデータ送信を行う技術が開示されている。
【０００４】
特許文献１に開示の技術では、アンテナとは別に設置される人感センサが必要である。人感センサとしては、例えばカメラや赤外線センサ等を用いることが知られている。このため、人感センサの設置により、機器の小型化が困難になるという問題があった。
【０００５】
人体を検知する機能を省スペースで実現する例が特許文献２に開示されている。特許文献２には、無線通信回路のためのアンテナ素子を、静電容量式近接検知センサ回路のための容量検知素子として共用する技術が開示されている。
【先行技術文献】
【特許文献】
【０００６】
【特許文献１】特開２０１０−１２４１３７号公報
【特許文献２】特開２０１４−８２７３５号公報
【発明の概要】
【発明が解決しようとする課題】
【０００７】
しかしながら、特許文献２に開示の技術では、アンテナ素子の容量値が、精度よく人体の近接検知を行うために必要な容量値に満たないことがあり得るという問題があった。
【０００８】
その他の課題と新規な特徴は、本明細書の記述および添付図面から明らかになるであろう。
【課題を解決するための手段】
【０００９】
一実施の形態によれば、無線通信モジュールは、アンテナ及び分布定数により構成される第１のフィルタを静電容量検出電極として用いる人体近接検出部を備えるものである。
【発明の効果】
【００１０】
前記一実施の形態によれば、人体を検知する機能を省スペースで実現し、且つ精度よく人体の近接検知を行うことができる無線通信モジュールを提供することができる。
【図面の簡単な説明】
【００１１】
【図１】実施の形態１にかかる無線通信モジュールの構成例を示すブロック図である。
【図２】実施の形態１にかかる無線通信モジュールのアンテナ部の形状の一例を示すブロック図である。
【図３】実施の形態１にかかる無線通信モジュールのアンテナ部の形状の他の例を示すブロック図である。
【図４】実施の形態１の変形例にかかる無線通信モジュールを実装した無線通信機器の構成例を示すブロック図である。
【図５】実施の形態１の変形例にかかる無線通信モジュールの構成例を示すブロック図である。
【図６】実施の形態２にかかる無線通信モジュールの構成の一例を示すブロック図である。
【図７】実施の形態２にかかる無線通信モジュールの構成の他の例を示すブロック図である。
【図８】実施の形態２の変形例にかかる無線通信モジュールの構成例を示すブロック図である。
【図９】実施の形態２の変形例にかかる人体近接検出部の具体例を説明するための図である。
【図１０】実施の形態２の変形例にかかる無線通信モジュールの動作例を示すフロー図である。
【図１１】図１０の動作の波形例を示す図である。
【図１２】実施の形態３にかかる無線通信モジュールの構成例を示すブロック図である。
【図１３】実施の形態３にかかる整合調整回路の構成例を示す図である。
【図１４】実施の形態３にかかる無線通信モジュールの動作例を示すフロー図である。
【図１５】図１４の動作の波形例を示す図である。
【発明を実施するための形態】
【００１２】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合及び原理的に明らかに特定の数に限定される場合等を除き、その特定の数に限定されるものではなく、特定の数以上でも以下でもよい。
【００１３】
さらに、以下の実施の形態において、その構成要素（動作ステップ等も含む）は、特に明示した場合及び原理的に明らかに必須であると考えられる場合等を除き、必ずしも必須のものではない。
【００１４】
以下、図面を参照して実施の形態について説明する。説明の明確化のため、以下の記載及び図面は、適宜、省略、及び簡略化がなされている。なお、各図面において、同一の要素には同一の符号が付されており、必要に応じて重複説明は省略されている。
【００１５】
実施の形態１
図１は、本実施の形態１にかかる無線通信モジュール１００の構成例を示すブロック図である。無線通信モジュール１００は、アンテナ部１と、人体近接検出部２と、を備えている。また、アンテナ部１は、アンテナ１１と、第１のフィルタ１２と、を備えている。
【００１６】
アンテナ１１は、無線通信モジュール１００による無線通信に用いられる。なお、アンテナ１１は、例えば、パッチアンテナや線状アンテナ等の平面アンテナである。
【００１７】
第１のフィルタ１２は、アンテナ１１に接続される。また、第１のフィルタ１２は、分布定数により構成される。
【００１８】
人体近接検出部２は、人体（誘電体）が近接したことを検出するための機能部である。人体近接検出部２は、第１のフィルタ１２に接続される。そして、人体近接検出部２は、アンテナ１１及び第１のフィルタ１２を静電容量検出電極として用いる。
【００１９】
続いて、図２及び図３を用いて、無線通信モジュール１００のアンテナ部１の形状について説明する。
【００２０】
図２は、無線通信モジュール１００のアンテナ部１の形状の一例を示す図である。図２の例では、アンテナ１１は、パッチアンテナであり、第１のフィルタ１２は、分布定数により構成されるＬＰＦ（ローパスフィルタ）である。なお、以下では、アンテナ１１により送受信される無線信号の周波数を２．４ＧＨｚとした場合について説明する。
【００２１】
アンテナ１１は、２．４ＧＨｚに共振点をもつ形状で構成される。これにより、アンテナ１１は、２．４ＧＨｚの無線通信に用いることができる。
【００２２】
第１のフィルタ１２は、２．４ＧＨｚに対して高インピーダンス特性をもつＬＰＦである。このため、第１のフィルタ１２により、２．４ＧＨｚの無線通信信号がアンテナ１１から人体近接検出部２へ流出することを抑えることができる。
【００２３】
また、アンテナ１１は、四角状の形状を持ち、この面積によって人体に対する静電容量を発生する静電容量検出電極として動作する。また、第１のフィルタ１２も同様に、その面積によって静電容量検出電極として動作する。
【００２４】
図３は、無線通信モジュール１００のアンテナ部１の形状の他の例を示す図である。図３の例では、アンテナ１１は、パッチアンテナであり、第１のフィルタ１２は、分布定数により構成されるＢＥＦ（バンドエリミネーションフィルタ）である。すなわち、図３では、図２のＬＰＦに代えてＢＥＦを用いている。第１のフィルタ１２は、２．４ＧＨｚに共振点をもち、ノッチフィルタとして動作する。このため、第１のフィルタ１２により、２．４ＧＨｚの無線通信信号がアンテナ１１から人体近接検出部２へ流出することを抑えることができる。
【００２５】
なお、図２及び図３の例では、アンテナ１１としてパッチアンテナを用いているが、線状アンテナを用いてもよい。線状アンテナは、パッチアンテナに比べてアンテナ−ＧＮＤ（グラウンド）間の静電容量が低下する。このため、アンテナ１１として線状アンテナを用いる構成とすることにより、パッチアンテナを用いる場合に比べて、アンテナ−人体間の静電容量変化を検知しやすくすることができる。
【００２６】
以上のように、本実施の形態１にかかる無線通信モジュール１００は、アンテナ１１と、第１のフィルタ１２と、人体近接検出部２と、を備えた構成としている。また、無線通信モジュール１００では、人体近接検出部２が、アンテナ１１及び第１のフィルタ１２を静電容量検出電極として用いる構成としている。これにより、本実施の形態１にかかる無線通信モジュール１００では、人体を検知する機能を省スペースで実現し、且つ精度よく人体の近接検知を行うことができる無線通信モジュールを提供することができる。
【００２７】
実施の形態１の変形例
図４は、本実施の形態１の変形例にかかる無線通信モジュール１００Ａを実装した無線通信機器１０００の構成例を示すブロック図である。無線通信機器１０００は、例えばウェアラブル機器である。無線通信機器１０００は、アンテナ１１Ａと、無線通信モジュール１００Ａと、を備えている。
【００２８】
アンテナ１１Ａは、無線通信モジュール１００Ａによる無線通信に用いられる。なお、アンテナ１１Ａは、例えば、非平面のモノポールアンテナである。なお、アンテナ１１Ａは、パッチアンテナや線状アンテナ等の平面アンテナであってもよい。
【００２９】
続いて、図５のブロック図を用いて、本実施の形態１の変形例にかかる無線通信モジュール１００Ａについて説明する。無線通信モジュール１００Ａは、第１のフィルタ１２Ａと、人体近接検出部２Ａと、を備えている。
【００３０】
第１のフィルタ１２Ａは、アンテナ１１Ａに接続される。また、第１のフィルタ１２Ａは、分布定数により構成される。
【００３１】
人体近接検出部２Ａは、人体が近接したことを検出するための機能部である。人体近接検出部２Ａは、第１のフィルタ１２Ａに接続される。そして、人体近接検出部２Ａは、アンテナ１１Ａ及び第１のフィルタ１２Ａを静電容量検出電極として用いる。
【００３２】
以上のように、本実施の形態１の変形例にかかる無線通信モジュール１００Ａは、無線通信機器１０００に実装される構成としている。また、無線通信モジュール１００Ａは、第１のフィルタ１２Ａと、人体近接検出部２Ａと、を備えた構成としている。さらに、無線通信モジュール１００Ａでは、人体近接検出部２Ａが、第１のフィルタ１２Ａ及び無線通信機器１０００のアンテナ１１Ａを静電容量検出電極として用いる構成としている。これにより、本実施の形態１の変形例にかかる無線通信モジュール１００Ａでは、人体を検知する機能を省スペースで実現し、且つ精度よく人体の近接検知を行うことができる無線通信モジュールを提供することができる。また、無線通信モジュール１００Ａは、アンテナを備えていないため、本実施の形態１にかかる無線通信モジュール１００に比べ、無線通信モジュールのサイズをさらに小さくすることができる。
【００３３】
実施の形態２
続いて、図６のブロック図を用いて、本実施の形態２にかかる無線通信モジュールの構成の一例である無線通信モジュール１００Ｂについて説明する。無線通信モジュール１００Ｂは、アンテナ部１と、人体近接検出部２と、無線制御部３と、を備えている。また、アンテナ部１は、アンテナ１１と、第１のフィルタ１２と、を備えている。さらに、無線制御部３は、送受信部３１と、演算処理部３２と、休止制御部３３と、を備えている。
【００３４】
演算処理部３２は、送受信部３１の動作を制御する機能部である。送受信部３１は、アンテナ１１に接続されている。また、送受信部３１は、演算処理部３２からの制御によりアンテナ１１を介した無線通信を行う。
【００３５】
休止制御部３３は、人体近接検出部２による検出結果に基づいて、演算処理部３２及び送受信部３１の少なくとも一方の起動状態を制御する機能部である。ここで、演算処理部３２の起動状態を制御するとは、演算処理部３２を起動させる又は停止させることである。また、送受信部３１の起動状態を制御するとは、送受信部３１を起動又は停止させることである。
【００３６】
以上のように、図６の無線通信モジュール１００Ｂでは、休止制御部３３が、人体近接検出部２による検出結果に基づいて、演算処理部３２及び送受信部３１の少なくとも一方の起動状態を制御する構成としている。これにより、図６の無線通信モジュール１００Ｂでは、人体が近接したことを検出した際に、演算処理部３２及び送受信部３１の少なくとも一方を起動させるように制御することができる。また、図６の無線通信モジュール１００Ｂでは、人体が近接していないことを検出した際に、演算処理部３２及び送受信部３１の少なくとも一方を停止させるように制御することができる。
【００３７】
続いて、図７のブロック図を用いて、本実施の形態２にかかる無線通信モジュールの構成の他の例である無線通信モジュール１００Ｃについて説明する。無線通信モジュール１００Ｃは、アンテナ部１と、人体近接検出部２と、無線制御部３Ｃと、第１の発振器４と、第２の発振器５と、第２のフィルタ６と、を備えている。また、アンテナ部１は、アンテナ１１と、第１のフィルタ１２と、を備えている。さらに、無線制御部３は、送受信部３１Ｃと、演算処理部３２Ｃと、休止制御部３３Ｃと、を備えている。
【００３８】
第１の発振器４は、第１周波数の第１クロック信号を発振する発振器である。第１周波数は、例えば３２．７６８ｋＨｚである。第１の発振器４は、第１周波数を休止制御部３３Ｃに供給する。また、第１周波数は、休止制御部３３Ｃを介して人体近接検出部２にも供給される。
【００３９】
第２の発振器５は、第１周波数より高い周波数である第２周波数の第２クロック信号を発振する発振器である。第２周波数は、例えば３２ＭＨｚである。第２の発振器５は、第２周波数を送受信部３１Ｃ及び演算処理部３２Ｃに供給する。
【００４０】
以下では、第１周波数を３２．７６８ｋＨｚとし、第２周波数を３２ＭＨｚとした場合について説明する。
【００４１】
送受信部３１Ｃ及び演算処理部３２Ｃは、第２クロック信号で動作する。すなわち、演算処理部３２Ｃは、第２クロック信号で動作することによって、送受信部３１Ｃによる無線通信を制御する。また、送受信部３１Ｃは、第２クロック信号で動作することによって、２．４ＧＨｚの無線信号を送受信する。
【００４２】
休止制御部３３Ｃは、第１クロック信号で動作する。すなわち、休止制御部３３Ｃは、３２．７６８ｋＨｚの第１クロック信号で動作することによって、３２ＭＨｚの第２クロック信号で動作する送受信部３１Ｃ及び演算処理部３２Ｃの起動状態の制御を行うことができる。
【００４３】
人体近接検出部２は、第１クロック信号を用いてアンテナ１１及び第１のフィルタ１２における静電容量の変化を検出する。
【００４４】
第１のフィルタ１２は、３２．７６８ｋＨｚを通過させ、２．４ＧＨｚを減衰させる。また、第２のフィルタ６は、２．４ＧＨｚを通過させ、３２．７６８ｋＨｚを減衰させる。なお、第２のフィルタ６は、例えば集中定数で構成されるＨＰＦ（ハイパスフィルタ）である。
【００４５】
以上のように、図７の無線通信モジュール１００Ｃは、第１の発振器４及び第２の発振器５を備えた構成としている。また、無線通信モジュール１００Ｃでは、休止制御部３３Ｃが３２．７６８ｋＨｚで動作し、送受信部３１Ｃ及び演算処理部３２Ｃが３２ＭＨｚで動作する構成としている。これにより、無線通信モジュール１００Ｃでは、３２ＭＨｚの第２クロック信号で動作する送受信部３１Ｃ及び演算処理部３２Ｃの起動状態の制御を、３２．７６８ｋＨｚの第１クロック信号で動作する休止制御部３３Ｃにより行うことができる。すなわち、無線通信モジュール１００Ｃでは、低消費電力化を図ることができる。
【００４６】
また、無線通信モジュール１００Ｃでは、人体近接検出部２が、第１クロック信号を用いてアンテナ１１及び第１のフィルタ１２における静電容量の変化を検出する構成としている。これにより、無線通信モジュール１００Ｃでは、人体近接検出部２による静電容量の変化の検出に、３２．７６８ｋＨｚの第１クロック信号を用いることができる。
【００４７】
また、無線通信モジュール１００Ｃでは、第１のフィルタ１２が、３２．７６８ｋＨｚを通過させ、２．４ＧＨｚを減衰させる構成としている。これにより、無線通信モジュール１００Ｃでは、２．４ＧＨｚの無線通信信号が、アンテナ１１及び送受信部３１Ｃにより構成される信号経路から人体近接検出部２へ流出することを抑えることができる。
【００４８】
また、無線通信モジュール１００Ｃでは、第２のフィルタ６が、２．４ＧＨｚを通過させ、３２．７６８ｋＨｚを減衰させる構成としている。これにより、無線通信モジュール１００Ｃでは、３２．７６８ｋＨｚの第１クロック信号が、アンテナ１１及び人体近接検出部２により構成される信号経路から送受信部３１Ｃへ流出することを抑えることができる。
【００４９】
さらに、無線通信モジュール１００Ｃでは、第１のフィルタ１２及び第２のフィルタ６を備えることにより、送受信部３１Ｃと人体近接検出部２とを分離することができる。
【００５０】
実施の形態２の変形例
図８は、実施の形態２の変形例にかかる無線通信モジュール１００Ｄの構成例を示すブロック図である。無線通信モジュール１００Ｄは、アンテナ部１と、人体近接検出部２Ｄと、無線制御部３Ｄと、第１の発振器４Ｄと、第２の発振器５Ｄと、第２のフィルタ６と、を備えている。また、アンテナ部１は、アンテナ１１と、第１のフィルタ１２と、を備えている。さらに、無線制御部３Ｄは、送受信部３１Ｄと、演算処理部３２Ｄと、休止制御部３３Ｄと、割込制御部３４と、を備えている。
【００５１】
第１の発振器４Ｄは、低消費電力化を目的とした無線制御部３Ｄの休止状態用の発振器である。ここで、無線制御部３Ｄの休止状態とは、割込制御部３４、休止制御部３３Ｄ、及び人体近接検出部２Ｄのみが３２．７６８ｋＨｚの第１クロック信号で動作し、それ以外は停止した状態を指す。
【００５２】
第２の発振器５Ｄは、無線制御部３Ｄの休止状態時に停止され、通常動作時に発振する発振器である。第２の発振器５Ｄは、通常動作時に、送受信部３１Ｄ及び演算処理部３２Ｄに第２クロック信号を供給する。
【００５３】
ここで、図９を用いて、人体近接検出部２Ｄの具体例について説明する。なお、図９では、無線通信モジュール１００Ｄにおいて、人体近接検出に関する部分以外の部分については図示を省略している。なお、人体近接検出部２Ｄの構成は一例であり、この構成に限らない。
【００５４】
図９の例では、人体近接検出部２Ｄは、抵抗２１と、位相比較器２２と、検波回路２３と、を備えている。また、検波回路２３は、ダイオード２４と、抵抗２５と、コンデンサ２６と、を備えている。
【００５５】
無線制御部３Ｄの休止状態時に、３２．７６８ｋＨｚの第１クロック信号は、休止制御部３３Ｄ及び抵抗２１を介してアンテナ部１に供給される。人体近接検出部２Ｄは、アンテナ部１の静電容量変化及び抵抗２１によって発生する第１クロック信号の位相差を、位相比較器２２及び検波回路２３によって検出し、直流電圧信号Ｄを生成する。すなわち、人体近接検出部２Ｄは、アンテナ部１の静電容量変化に基づく直流電圧信号Ｄを生成する。そして、人体近接検出部２Ｄは、直流電圧信号Ｄを割込制御部３４へ出力する。
【００５６】
図８に戻り説明を続ける。割込制御部３４は、人体近接検出部２Ｄから直流電圧信号Ｄを受け取ると、直流電圧信号Ｄが所定の閾値を超えるか否かを判定する。直流電圧信号Ｄが所定の閾値を超えた場合、割込制御部３４は、割込信号を生成し、休止制御部３３Ｄへ出力する。
【００５７】
休止制御部３３Ｄは、割込信号が入力されると、送受信部３１Ｄ、演算処理部３２Ｄ、及び第２の発振器５Ｄを起動させる。また、休止制御部３３Ｄは、割込信号が入力されると、３２．７６８ｋＨｚの第１クロック信号のアンテナ部１への供給を停止する。これにより、無線制御部３Ｄは通常動作となる。
【００５８】
送受信部３１Ｄは、起動すると、演算処理部３２Ｄからの制御により無線通信を行う。休止制御部３３Ｄは、送受信部３１Ｄによる無線通信が完了すると、送受信部３１Ｄ、演算処理部３２Ｄ、及び第２の発振器５Ｄを停止させる。また、休止制御部３３Ｄは、送受信部３１Ｄによる無線通信が完了すると、３２．７６８ｋＨｚの第１クロック信号のアンテナ部１への供給を開始する。これにより、無線制御部３Ｄは休止状態となる。
【００５９】
続いて、図１０のフロー図を用いて、実施の形態２の変形例にかかる無線通信モジュール１００Ｄの動作例について説明する。
【００６０】
まず、無線通信モジュール１００Ｄの電源投入後（ステップＳ１０１）、休止制御部３３Ｄは、送受信部３１Ｄ、演算処理部３２Ｄ、及び第２の発振器５Ｄを停止させ、且つ第１クロック信号のアンテナ部１への供給を開始する（ステップＳ１０２）。
【００６１】
次に、人体近接検出部２Ｄは、アンテナ部１の静電容量を測定する（ステップＳ１０３）。すなわち、人体近接検出部２Ｄは、アンテナ部１の静電容量変化に基づく直流電圧信号Ｄを生成する。
【００６２】
次に、割込制御部３４は、直流電圧信号Ｄが所定の閾値を超えるか否かを判定する（ステップＳ１０４）。
【００６３】
直流電圧信号Ｄが所定の閾値以下の場合（ステップＳ１０４にてＮＯ）、ステップＳ１０３に戻る。他方、直流電圧信号Ｄが所定の閾値を超えた場合（ステップＳ１０４にてＹＥＳ）、休止制御部３３Ｄに割込信号が入力される（ステップＳ１０５）。
【００６４】
次に、休止制御部３３Ｄは、送受信部３１Ｄ、演算処理部３２Ｄ、及び第２の発振器５Ｄを起動させ、且つ第１クロック信号のアンテナ部１への供給を停止する（ステップＳ１０６）。
【００６５】
次に、送受信部３１Ｄは、無線通信を実行する（ステップＳ１０７）。次に、休止制御部３３Ｄは、無線通信が完了したか否かを判定する（ステップＳ１０８）。
【００６６】
無線通信が完了していない場合（ステップＳ１０８にてＮＯ）、ステップＳ１０７に戻る。他方、無線通信が完了した場合（ステップＳ１０８にてＹＥＳ）、休止制御部３３Ｄは、送受信部３１Ｄ、演算処理部３２Ｄ、及び第２の発振器５Ｄを停止させ、且つ第１クロック信号のアンテナ部１への供給を開始する（ステップＳ１０９）。そして、ステップＳ１０９の後、ステップＳ１０３に戻る。
【００６７】
続いて、図１１を用いて、図１０の動作の波形例について説明する。図１１では、横軸は時間の経過を表している。図１１の「アンテナ入力信号」は、アンテナ１１へ入力される信号の種別を表している。また、「人体近接検出部・無線制御部の動作」は、人体近接検出部２Ｄと無線制御部３Ｄの動作種別を表している。また、「第２の発振器の動作」は、第２の発振器５Ｄの起動（ＯＮ）又は停止（ＯＦＦ）を表している。また、「第１クロック信号のアンテナ部への供給」は、第１クロック信号がアンテナ部１へ供給されている（ＯＮ）又は供給されていない（ＯＦＦ）を表している。
【００６８】
ステップＳ１０３では、アンテナ入力信号は、第１クロック信号（Ｃ１）であり、人体近接検出部２Ｄによりアンテナ部１の静電容量測定（Ｍ）が行われる。なお、静電容量測定（Ｍ）の縦軸は静電容量測定結果の大／小を表している。
【００６９】
人体が近接していな状態のときは、ステップＳ１０４にて、アンテナ部１の静電容量変化に基づく直流電圧信号Ｄは所定の閾値以下となる。このため、ステップＳ１０３に戻る。
【００７０】
例えば、無線通信モジュール１００Ｄを備えたウェアラブル機器の着用等により、人体がアンテナ部１に近接すると、アンテナ部１の静電容量が変化する。そして、人体が近接した状態のとき、ステップＳ１０４にて、アンテナ部１の静電容量変化に基づく直流電圧信号Ｄが所定の閾値を超え、ステップＳ１０５へ遷移する。その後、ステップＳ１０６にて、送受信部３１Ｄ、演算処理部３２Ｄ、及び第２の発振器５Ｄが起動される。そして、ステップＳ１０７にて、送受信部３１Ｄは、２．４ＧＨｚの無線信号（ＲＦ）によりAdvertising（Ａ）を行い、無線接続を確立し、無線通信（Ｒ）を行う。ステップＳ１０８にて無線通信完了後に、ステップＳ１０９にて無線制御部３Ｄは休止状態に遷移する。
【００７１】
以上のように、本実施の形態２の変形例にかかる無線通信モジュール１００Ｄでは、人体近接検出部２Ｄが、アンテナ部１の静電容量変化に基づく直流電圧信号Ｄを生成する構成としている。また、無線通信モジュール１００Ｄでは、割込制御部３４が、直流電圧信号Ｄが所定の閾値を超えるか否かを判定し、直流電圧信号Ｄが所定の閾値を超えた場合に、割込信号を生成する構成としている。また、無線通信モジュール１００Ｄでは、割込信号入力により、送受信部３１Ｄ、演算処理部３２Ｄ、及び第２の発振器５Ｄを起動させる構成としている。さらに、無線通信モジュール１００Ｄでは、無線通信完了後に、休止制御部３３Ｄが、送受信部３１Ｄ、演算処理部３２Ｄ、及び第２の発振器５Ｄを停止させる構成としている。
【００７２】
すなわち、本実施の形態２の変形例にかかる無線通信モジュール１００Ｄでは、休止制御部３３Ｄが、人体近接検出部２Ｄによる検出結果に基づいて、送受信部３１Ｄ、演算処理部３２Ｄ、及び第２の発振器５Ｄを起動させ、送受信部３１Ｄによる無線通信完了後に送受信部３１Ｄ、演算処理部３２Ｄ、及び第２の発振器５Ｄを停止させる構成としている。これにより、本実施の形態２の変形例にかかる無線通信モジュール１００Ｄでは、本実施の形態２の無線通信モジュール１００Ｃに比べて、さらに消費電力を低減することができる。
【００７３】
実施の形態３
続いて、図１２のブロック図を用いて、本実施の形態３にかかる無線通信モジュール１００Ｅの構成について説明する。無線通信モジュール１００Ｅは、アンテナ部１と、人体近接検出部２Ｄと、無線制御部３Ｅと、第１の発振器４Ｄと、第２の発振器５Ｄと、第２のフィルタ６と、を備えている。また、アンテナ部１は、アンテナ１１と、第１のフィルタ１２と、を備えている。さらに、無線制御部３Ｅは、送受信部３１Ｄと、演算処理部３２Ｄと、休止制御部３３Ｅと、割込制御部３４Ｅと、整合調整部３５と、整合調整回路３６と、を備えている。
【００７４】
割込制御部３４Ｅは、人体近接検出部２Ｄから直流電圧信号Ｄを受け取ると、直流電圧信号Ｄが所定の閾値を超えるか否かを判定する。直流電圧信号Ｄが所定の閾値以下である場合、割込制御部３４Ｅは、起動信号を休止制御部３３Ｅへ出力する。
【００７５】
直流電圧信号Ｄが所定の閾値を超えた場合、割込制御部３４Ｅは、割込信号を生成し、整合調整部３５へ出力する。また、割込制御部３４Ｅは、整合調整部３５による整合調整後に、起動信号を休止制御部３３Ｅへ出力する。
【００７６】
休止制御部３３Ｅは、起動信号を受け取ると、送受信部３１Ｄ、演算処理部３２Ｄ、及び第２の発振器５Ｄを起動させる。また、休止制御部３３Ｅは、起動信号を受け取ると、３２．７６８ｋＨｚの第１クロック信号のアンテナ部１への供給を停止する。これにより、無線制御部３Ｅは通常動作となる。
【００７７】
休止制御部３３Ｅは、送受信部３１Ｄによる無線通信が完了すると、送受信部３１Ｄ、演算処理部３２Ｄ、及び第２の発振器５Ｄを停止させる。また、休止制御部３３Ｅは、送受信部３１Ｄによる無線通信が完了すると、３２．７６８ｋＨｚの第１クロック信号のアンテナ部１への供給を開始する。これにより、無線制御部３Ｅは休止状態となる。
【００７８】
整合調整部３５は、割込信号が入力されると、整合調整回路３６を調整する。なお、整合調整回路３６は、第２のフィルタ６と送受信部３１Ｄとの間に配置されている。また、整合調整回路３６は、例えば図１３に示すように構成されるが、図１３の構成に限らない。図１３の例では、整合調整回路３６は、可変キャパシタ３７と、可変インダクタ３８と、可変キャパシタ３９と、を備えている。
【００７９】
整合調整部３５は、整合調整回路３６を調整することにより、アンテナ１１を最適な特性インピーダンスに調整する。なお、最適な特性インピーダンスとは、例えば５０Ωである。
【００８０】
続いて、図１４のフロー図を用いて、実施の形態３にかかる無線通信モジュール１００Ｅの動作例について説明する。
【００８１】
まず、無線通信モジュール１００Ｅの電源投入後（ステップＳ２０１）、休止制御部３３Ｅは、送受信部３１Ｄ、演算処理部３２Ｄ、及び第２の発振器５Ｄを停止させ、且つ第１クロック信号のアンテナ部１への供給を開始する（ステップＳ２０２）。
【００８２】
次に、人体近接検出部２Ｄは、アンテナ部１の静電容量を測定する（ステップＳ２０３）。すなわち、人体近接検出部２Ｄは、アンテナ部１の静電容量変化に基づく直流電圧信号Ｄを生成する。
【００８３】
次に、割込制御部３４Ｅは、直流電圧信号Ｄが所定の閾値を超えるか否かを判定する（ステップＳ２０４）。
【００８４】
直流電圧信号Ｄが所定の閾値を超えた場合（ステップＳ２０４にてＹＥＳ）、整合調整部３５は、アンテナ１１の整合調整を行う（ステップＳ２０５）。ステップＳ２０５の後、休止制御部３３Ｅは、送受信部３１Ｄ、演算処理部３２Ｄ、及び第２の発振器５Ｄを起動させ、且つ第１クロック信号のアンテナ部１への供給を停止する（ステップＳ２０６）。
【００８５】
他方、直流電圧信号Ｄが所定の閾値以下の場合（ステップＳ２０４にてＮＯ）、ステップＳ２０５を介さずに、ステップＳ２０６の制御を行う。
【００８６】
次に、送受信部３１Ｄは、無線通信を実行する（ステップＳ２０７）。次に、休止制御部３３Ｅは、無線通信が完了したか否かを判定する（ステップＳ２０８）。
【００８７】
無線通信が完了していない場合（ステップＳ２０８にてＮＯ）、ステップＳ２０７に戻る。他方、無線通信が完了した場合（ステップＳ２０８にてＹＥＳ）、休止制御部３３Ｅは、送受信部３１Ｄ、演算処理部３２Ｄ、及び第２の発振器５Ｄを停止させ、且つ第１クロック信号のアンテナ部１への供給を開始する（ステップＳ２０９）。そして、ステップＳ２０９の後、ステップＳ２０３に戻る。
【００８８】
続いて、図１５を用いて、図１４の動作の波形例について説明する。ステップＳ２０３では、アンテナ入力信号は、第１クロック信号（Ｃ１）であり、人体近接検出部２Ｄによりアンテナ部１の静電容量測定（Ｍ）が行われる。
【００８９】
人体が近接していな状態のときは、ステップＳ２０４にて、アンテナ部１の静電容量変化に基づく直流電圧信号Ｄは所定の閾値以下となる。このため、ステップＳ２０５のアンテナ１１の整合調整（ＭＡ）は行われない。その後、ステップＳ２０６にて、送受信部３１Ｄ、演算処理部３２Ｄ、及び第２の発振器５Ｄが起動される。そして、ステップＳ２０７へ遷移し、送受信部３１Ｄが、２．４ＧＨｚの無線信号（ＲＦ）による無線通信（Ｒ）を行う。
【００９０】
他方、人体が近接した状態のとき、ステップＳ２０４にて、アンテナ部１の静電容量変化に基づく直流電圧信号Ｄが所定の閾値を超え、ステップＳ２０５へ遷移する。このため、ステップＳ２０５にてアンテナ１１の整合調整（ＭＡ）が行われる。その後、ステップＳ２０６にて、送受信部３１Ｄ、演算処理部３２Ｄ、及び第２の発振器５Ｄが起動される。そして、ステップＳ２０７へ遷移し、送受信部３１Ｄが、２．４ＧＨｚの無線信号（ＲＦ）による無線通信（Ｒ）を行う。
【００９１】
以上のように、本実施の形態３にかかる無線通信モジュール１００Ｅでは、整合調整部３５が、人体近接検出部２Ｄによる検出結果に基づいて、アンテナ１１の整合調整を行う構成としている。これにより、人体（誘電体）等が近接することによってアンテナからの放射抵抗が変化して特性インピーダンスにずれが生じるという問題を解消することができる。
【００９２】
なお、実施の形態２、実施の形態２の変形例、及び実施の形態３は、無線通信モジュールがアンテナを備える例について説明したが、実施の形態１の変形例のように、無線通信モジュールがアンテナを備えない構成としてもよい。
【００９３】
また、実施の形態で述べた無線通信モジュールの機能部の処理は、少なくとも１つのプロセッサ（e.g. マイクロプロセッサ、ＭＰＵ、ＤＳＰ（Digital Signal Processor））にプログラムを実行させることによって実現されてもよい。
【００９４】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００９５】
１    アンテナ部
２、２Ａ、２Ｄ    人体近接検出部
３、３Ｃ、３Ｄ    無線制御部
４、４Ｄ    第１の発振器
５、５Ｄ    第２の発振器
６    第２のフィルタ
１１、１１Ａ    アンテナ
１２、１２Ａ    第１のフィルタ
３１、３１Ｃ、３１Ｄ    送受信部
３２、３２Ｃ、３２Ｄ    演算処理部
３３、３３Ｃ、３３Ｄ    休止制御部
３５    整合調整部
１００、１００Ａ、１００Ｂ、１００Ｃ、１００Ｄ、１００Ｅ    無線通信モジュール
１０００    無線通信機器
【図１】
2018198352.tif 000003
【図２】
2018198352.tif 000004
【図３】
2018198352.tif 000005
【図４】
2018198352.tif 000006
【図５】
2018198352.tif 000007
【図６】
2018198352.tif 000008
【図７】
2018198352.tif 000009
【図８】
2018198352.tif 000010
【図９】
2018198352.tif 000011
【図１０】
2018198352.tif 000012
【図１１】
2018198352.tif 000013
【図１２】
2018198352.tif 000014
【図１３】
2018198352.tif 000015
【図１４】
2018198352.tif 000016
【図１５】
2018198352.tif 000017